Podtech/llm-jp-corpus-v4-ja_patent huggingface dataset:
(57)【要約】      （修正有）【課題】料理中のいやな臭いを頭髪につくのを防ぐため、袋状のものを頭部にかぶせ、頭髪を収容することで頭髪に付着するにおいが付くのを防ぐキャップを提供する。【解決手段】頭髪全体を合成樹脂素材の布ベルト付きの袋状のものですっぽり覆い頭部に着用することにより料理中のいやな臭いが頭髪に付着するのを防ぐ。【選択図】図１
0003170491.tif 000002
【実用新案登録請求の範囲】
【請求項１】
頭髪を収容可能な内容積を有する合成樹脂素材の袋状部と上記の縁辺に両側の端の部分にマジックテープを付けた布製のベルトをぬい合わせ、着脱を安易にする為、ベルトとベルトの開口部にまちを設ける。
頭髪を収容し、両側の布製ベルトについているマジックテープでえり足辺りで止めることを有することを特徴とするキャップ
【請求項２】
前記の合成樹脂素材の袋部全体を布又はレースで覆った事を特徴とする請求項１記載のキャップ
【請求項３】
前記、布又はレースで覆った周辺部にフリルをつけた事を特徴とする請求項２記載のキャップ
【請求項４】
収納や、携帯可能なポーチ付きを特徴とする請求項３記載のキャップ
【考案の詳細な説明】
【技術分野】
【０００１】本考案は頭髪を収容可能な合成樹脂素材のキャップに関するものである
【背景技術】
【０００２】家で料理をする際、髪の毛の落下防止や、髪の毛に臭いのつくのを防ぐ目的で市販の三角巾を使用していた。
市販の三角巾だと、すき間があり、又布製である。
【先行技術文献】
【特許文献】
【０００３】
【特許文献１】実開平０６−０３９９２６公報
【考案の概要】
【考案が解決しようとする課題】
【０００４】通常、お料理をする際、三角巾を用いるのが主である。
上記の三角巾は、主に布製でできていて、すき間がある為、頭髪全てを覆う事が不可能である。
そこで、頭髪全てを合成樹脂素材のものですっぽり覆い料理中の臭いを頭髪につくのを防ぐ事を解決しようとするものである
又、シャワーキップを使用したが、使用後、額や顔回りに、ゴムの跡が残ってしまう。
【課題を解決するための手段】
【０００５】頭髪を収容可能な内容積を有する。
合成樹脂素材の袋状部と上記の縁辺に、両側の端の部分にマジックテープを付けた布製ベルトをぬい合わせ着脱を容易にする為、ベルトの開口部にまちを設ける。
全ての頭髪を上記に収容し、両側の布製ベルトにぬいつけてあるマシックテープで頭部のえり足辺で止める。
更に見栄えを良くする為、上記のベルト以外の合成樹脂素材の袋状のキャップをレースや女性の好む布で覆い、袋状のキャップを見えない様にし、その下にフリルを付けたり布ベルト額斜め上にリボン等飾る。又かさばらなく軽量である為携帯も可能。
【考案の効果】
【０００６】上述の様に本考案の合成樹脂素材の袋状の縁辺に両側の端にマシックテープを付けた布製のベルトをぬい合わせたキャップはベルトとベルトをマジックテープで止める所には、まちを設けてあるので頭髪を安易に収容しやすく、又マジックテープを外せば安易に外せる事が特徴である。
又袋状の表面全体を布やレースで覆ったり、リボンを付ける事により、屋外の場所、例えば、やき肉店等でも使用できる。
料理中のいやな臭いを頭髪につけず、使用出来る事で問題点を解決している。
【図面の簡単な説明】
【０００７】
【図１】本考案の合成樹脂素材に布ベルトが付いたキャップ
【図２】開口部にベルトとベルトをマシックテープでとめる
【図３】図１の合成樹脂素材のキャップに覆う布
【図４】横から見た図
【図５】後ろから見た図
【図６】全体像
【図７】ポーチ
【符号の説明】
【０００８】１、合成樹脂素材の袋状のキャップ
２  布製ベルト
３  マシックテープ
４  開口部
５  布やレース等
６  リボン
７  フリルやレース等
８  ポーチ
【図１】
0003170491.tif 000003
【図２】
0003170491.tif 000004
【図３】
0003170491.tif 000005
【図４】
0003170491.tif 000006
【図５】
0003170491.tif 000007
【図６】
0003170491.tif 000008
【図７】
0003170491.tif 000009
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
頭髪を収容可能な内容積を有する合成樹脂素材の袋状部と上記の縁辺に両側の端の部分に頭髪を収容した時にえり足辺で止める為にマジックテープ（登録商標）を付けた布製ベルトをぬい合わせ着脱を安易にする為ベルトとベルトの開口部にまちを設けた事を特徴とするキャップ。
【請求項２】
前記の合成樹脂素材の袋部全体を布又はレースで覆った事を特徴とする請求項１記載のキャップ。
【請求項３】
前記布又はレースで覆った周辺部にフリルをつけた事を特徴とする請求項２記載のキャップ。
【請求項４】
請求項１〜３のいずれか一項のキャップを収納・携帯可能なポーチを付随させる事を特徴とするキャップ。
(57)【要約】      （修正有）【課題】軽量化し、運搬・施工性を高めると共に、コストダウンを実現する上床ユニットを提供する。【解決手段】通気フロア用上床ユニットを、全体が樹脂で一体成形され、平面形状が四辺形の上床板部と、その下面の少なくとも４隅部に下方に向かって突設した脚部を有し、上床板部は上下方向に貫通する複数の通気孔を備え、各脚部の間は水平方向に連通する空間が形成される。【選択図】図１
0003170388.tif 000002
【実用新案登録請求の範囲】
【請求項１】
全体が樹脂で一体成形され、平面形状が四辺形の上床板部と、その下面の少なくとも四隅部に下方に向かって突設した脚部を有し、前記上床板部は上下方向に貫通する複数の通気孔を備え、前記各脚部の間は水平方向に連通する空間が形成されていることを特徴とする通気フロア用上床ユニット。
【考案の詳細な説明】
【技術分野】
【０００１】
本考案は、二重床の上床の下から上床の上に空気を送り出し、空調を行う通気フロアの上床を形成するための上床ユニットに関する。
【背景技術】
【０００２】
近年、二重床を用いて空調を行う通気フロアが提案されている。これは、下記特許文献１に開示されるように、上床に通気孔を設け、上床と下床の間に空調用の空気を送り込み、これを通気孔から上床の上の室内に送り出して空調を行うものである。この通気フロアは、埃が少ない、空調用空気がゆっくり立ち昇るのでドラフト感がない、空調用ダクトが不要となり自由な天井デザインが可能となる、といった特徴を有する。従来、通気フロアの上床を形成する上床ユニットは金属又はコンクリート製であった。
【先行技術文献】
【特許文献】
【０００３】
【特許文献１】特開平８−３０２９７１号公報
【考案の概要】
【考案が解決しようとする課題】
【０００４】
上記のコンクリート製上床ユニットは、施工後の歩行感に優れるものの、重くて運搬、施工性に問題があり、また下床上に作用する積載荷重が大きくなるので、改修工事には不向きであった。金属製のものはコンクリート製よりも軽いが、比較的高価である。
【０００５】
本考案は、上床ユニットを従来の金属製のものよりもさらに軽量化し、運搬・施工性を高めると共に、コストダウンを実現することを課題とするものである。
【課題を解決するための手段】
【０００６】
本考案は、全体が樹脂で一体成形され、平面形状が四辺形の上床板部と、その下面の少なくとも４隅部に下方に向かって突設した脚部を有し、前記上床板部は上下方向に貫通する複数の通気孔を備え、前記各脚部の間は水平方向に連通する空間が形成されていることを特徴とする通気フロア用上床ユニットである。
【０００７】
本考案の上床ユニットを、コンクリートスラブなどの下床の上に並べて敷くことで上床を容易に施工することができる。各脚部の間には、水平方向に連通する空間が形成されているので、施工した上床と下床の間に、空調用空気が水平方向に自由に移動できる空間が確保される。
【０００８】
本考案上床ユニットの材質は、自己消火性を有する樹脂で、例えば難燃剤を配合したポリプロピレンなどとすることができる。
【考案の効果】
【０００９】
本考案の上床ユニットは、全体が樹脂で一体成形され、上床板部の下面の少なくとも四隅部に下方に向かって突設した脚部を有する構造なので、原材料の比重と容積を小さくし、きわめて軽くすることができる。したがって、本考案上床ユニットは軽量で運搬性・施工性に優れ、樹脂によって安価に製造でき、本考案上床ユニットを並べて敷設した上床全体もきわめて軽量になり、下床に作用する積載荷重がきわめて小さいので、改修工事に用いても好適である。
【図面の簡単な説明】
【００１０】
【図１】実施例の上床ユニット１の平面図である。
【図２】上床ユニット１の正面図・側面図である。
【図３】基本ブロック１の底面図である。
【図４】図１におけるＡ−Ａ線断面図である。
【図５】図１におけるＢ−Ｂ線断面図である。
【図６】上床ユニット１を敷き並べた状態の平面図である。
【図７】連結ピン２の平面図及び正面図である。
【考案を実施するための形態】
【００１１】
図面に基づいて本考案の実施形態を説明する。
図１〜６に示す上床ユニット１は、平面形状が２４８ｍｍ×２４８ｍｍの四辺形（正方形）、高さ７０〜１００ｍｍである。ユニットの高さは５０〜１５０ｍｍ程度にすることができる。正方形の上床板部１０の下面に、四隅部、各辺の中央部、及び上床板部の中心部にマトリックス状に配置した９個所の脚部１１が下方に向かって突設されている。
【００１２】
図３などに示すように、各脚部１１の間には、水平方向に、縦横に連通する空間１６が形成されているので、下床上に上床ユニット１を並べて施工したとき、上床と下床の間に、空調用空気が水平方向に自由に移動できる空間が確保される。なお、図３において正面図と側面図は同一形状である。
【００１３】
図４に示すように、脚部１１の内部は空洞となっており、下端にゴムなどの弾性体でなるキャップ１４を被せている。上床板部１０上面の各辺中央には連結凹部１２が形成されている。図２に網掛けで示されるのは、厚みが薄くなるように裏側を刳りぬいた刳抜部１３で、その回りの白い部分は補強リブのようになっている。刳抜部１３及び脚部内部の空洞によって、原材料の節減、更なる軽量化が実現される。
【００１４】
通気孔１５は、幅６ｍｍ以下、長さ１７ｍｍ前後の長円形で、上床板部１０を上下に貫通して多数設けられている。なお、通気孔の長さは所望の開口率に応じた長さにすることができる。表面面積に占める通気孔の面積の割合（開口率）は７〜８％である。なお、この割合は５〜１７％にすることができる。
【００１５】
なお、図面では省略されているが、上床板部１０の表面には深さ０．５〜数ｍｍ程度の浅い溝が多数設けられており、該溝の底に通気孔１５が連結している。
【００１６】
本考案の上床ユニット１は、図６に示すように、下床（建物のコンクリートスラブなど）の上に敷き並べて施工する。この上床ユニットの上には通気性のある仕上材（タイルカーペットなど）を施工する。
【００１７】
隣り合う上床ユニット１の連結凹部には、連結ピン２を差し込んで相互の位置関係を固定している。なお連結ピンは、必ずしも、隣り合う全てのユニットに施工する必要はなく、例えば、１０００ｍｍピッチで施工してもよい。
【符号の説明】
【００１８】
１  上床ユニット
１０  上床板部
１１  脚部
１２  連結凹部
１３  刳抜部
１４  キャップ
１５  通気孔
２  連結ピン
【図１】
0003170388.tif 000003
【図２】
0003170388.tif 000004
【図３】
0003170388.tif 000005
【図４】
0003170388.tif 000006
【図５】
0003170388.tif 000007
【図６】
0003170388.tif 000008
【図７】
0003170388.tif 000009
(57)【要約】      （修正有）【課題】鼻水等を吸収し、鼻水等が無意識に流れ落ちるのを防ぐ鼻水吸収シートを提供する。【解決手段】紙・綿・化繊等適宜素材でできた吸収力に優れた鼻水吸収シートを鼻腔に挿入することにより、鼻水等が無意識に流れ落ちるのを防ぐ。その結果、鼻をすすったりかんだりする回数が抑えられ、症状の悪化や頭痛、鼻周辺の肌荒れや鼻紙の消費を抑える。シート状なので、鼻の気道を塞がず鼻腔から脱落しにくい。鼻水吸収シートを黒くすれば、鼻腔に挿入しても目立たない。鼻水吸収シートに消臭成分やメントールなどの薬液をしみ込ませることもできる。【選択図】図１
0003170341.tif 000002
【実用新案登録請求の範囲】
【請求項１】
鼻水等を吸収する適宜素材からなり、鼻腔に挿入しても鼻の気道を塞がず脱落しにくいシート状のものであること。目立ちにくいように黒い色であること。消臭成分を入れたり、メントール等の薬液をしみ込ませることができること。
【考案の詳細な説明】
【考案の概要】
【考案が解決しようとする課題】
【０００１】
風邪や花粉症などの症状で、鼻水等が無意識に流れ落ちてしまうことがある。そのため鼻水等が料理や作業中の物の中に入ってしまうことがある。いつ流れ落ちるかわからない鼻水等を気にしていては、仕事・家事・学業・スポーツ等に集中できない。鼻水等が流れ落ちないよう鼻紙を丸めて鼻腔に挿入すると、見た目が悪い上、鼻の気道を塞いでしまう。また、頻繁に鼻をかむと鼻周辺が肌荒れしたり、鼻紙をたくさん必要とする。鼻をすすりあげてしまうと症状の悪化や頭痛が起きることもある。
【課題を解決するための手段】
【０００２】
紙・綿・化繊等適宜素材でできた吸収力に優れた鼻水吸収シートを鼻腔に挿入することで、鼻水吸収シートが鼻水等を吸収する。鼻水吸収シートをシート状にすることで、鼻の気道を塞がず、鼻腔から脱落しにくくする。鼻水吸収シートを楕円状にカットすることで、挿入時の不快感を和らげる。鼻水吸収シートを黒色にすることで、鼻腔にあることを目立たせない。鼻水吸収シートを炭で黒色にすれば、消臭効果も得られる。鼻水吸収シートに消臭成分を入れれば、挿入中の悪臭を防ぐ。さらに鼻水吸収シートにメントールなどの薬液をしみ込ませれば、鼻通りを良くしたり、治癒の促進につなげられる。
【考案の効果】
【０００３】
鼻水吸収シートを鼻腔に挿入することで、鼻水吸収シートが鼻水等を吸収し、鼻水等が無意識に流れ落ちるのを防ぐ。そのため鼻水等に惑わされることなく、仕事・家事・学業・スポーツ等に集中できる。黒色なので鼻水吸収シートを鼻腔に挿入していても、目立ちにくい。シート状なので、鼻の気道を塞がず、鼻腔から脱落しにくい。鼻水吸収シートを楕円状にカットしてあるので、挿入時の違和感が少ない。鼻水吸収シートが鼻水等を吸収することにより、鼻をすすり上げる回数が減り、すすり上げて起きる症状の悪化や頭痛等を抑える。鼻をかむ回数が減り、鼻紙の消費量や、鼻周辺の肌荒れを抑える。鼻水吸収シートに消臭成分を入れれば、鼻水吸収シートを鼻腔に挿入中、鼻腔の悪臭を防ぐ。鼻水吸収シートにメントール等の薬液を染み込ませれば、鼻通りが良くなったり、治癒の促進につながる。
【図面の簡単な説明】
【０００４】
【図１】この発明の鼻水吸収シート
【図２】この発明の鼻水吸収シートを鼻腔内に挿入した後の実施例である。
【図３】この発明の鼻水吸収シートを鼻腔内に挿入した後の実施例である。
【符号の説明】
【０００５】
1鼻水吸収シート本体
【図１】
0003170341.tif 000003
【図２】
0003170341.tif 000004
【図３】
0003170341.tif 000005
【手続補正書】
【提出日】平成23年7月7日(2011.7.7)
【手続補正１】
【補正対象書類名】実用新案登録請求の範囲
【補正対象項目名】請求項１
【補正方法】変更
【補正の内容】
【請求項１】
薬液を染込ませた上、鼻水等を吸収可能な吸収力のある適宜素材からなり、鼻腔に挿入しても鼻の気道を塞がず脱落しにくい楕円形のシート状で、目立たない黒色の鼻水吸収シート。
(57)【要約】      （修正有）【課題】屈伸運動が苦手な使用者のために、手軽で簡単な腹筋運動が寝たままの状態でできる肥満解消具を提供する。【解決手段】呼吸法並びに腹部押圧法を用いた肥満解消具であって、Ｕ字形操作レバー本体１の両端にスライド可能な筒状ガイド部２を挿着し、アーム部３を介してその中央部に腹部押圧ローラー４を設けた。使用に当たっては、腹部に圧力が掛かるとアームの梃の作用によって、筒状ガイド部が拗れてＵ字形操作レバー本体に押し当てるように固定され、肥満解消具として作用する。【選択図】図７
0003170350.tif 000002
【実用新案登録請求の範囲】
【請求項１】
Ｕ字型操作レバー本体に筒状ガイドをスライド可能に挿入し、同筒状ガイドに取付けたアームで両端が支持された腹部押圧ローラを設けて構成したことを特徴とする肥満解消具。
【請求項２】
上記アームの梃の作用により、上記筒状ガイドが拗れて、同筒状ガイドが、上記Ｕ字型操作レバー本体に押し当てられるように、前記Ｕ字型操作レバー本体と前記筒状ガイドとの間に間隔を設けたことを特徴とする請求項１に記載の肥満解消具。
【考案の詳細な説明】
【技術分野】
【０００１】本考案は、屈伸運動が苦手な使用者のために手軽で簡単な腹筋が寝たままの状態で好適にできる肥満解消具に関するものである。
【背景技術】
【０００２】  肥満で体重過剰な使用者には、屈伸運動が困難で苦痛となっている。
それに対して従来では屈伸を兼ねた運道具ばかりで、肥満者にはほとんど使用されていない。
【考案の概要】
【考案が解決しようとする課題】
【０００３】  そこで本考案は、従来の腹筋運動の欠点や課題を鋭意研究した結果、腰や腹部の負担軽減を可能にするため、手軽で簡単に活用できる肥満解消具を提供するものである。
【課題を解決するための手段】
【０００４】本考案は、呼吸法並びに腹部押圧法での肥満解消具であって、Ｕ字型操作レバー本体に筒状ガイドをスライド可能に挿入し、同筒状ガイドに取付けたアームで両端が支持された腹部押圧ローラを設けて構成した肥満解消具で、前記アームの梃の作用により、上記筒状ガイドが拗れて、同筒状ガイドが、前記Ｕ字型操作レバー本体に押し当てられるように、前記Ｕ字型操作レバー本体と前記筒状ガイドとの間に間隔を設けたことを特徴とする肥満解消具である。Ｕ字形操作レバー本体の両端にスライド可能な筒状ガイド部を挿着し、アーム部を介して、その中央部に腹部押圧ローラーを設けた。
尚、本考案の使用方法では腹部に圧力が掛かると、アームの梃の作用によって、筒状ガイドが拗れてＵ字形操作レバーに押し当てるようにこていされる肥満解消具である。【０００５】
【考案の効果】
【０００６】  以上のように本考案は、屈伸運動を皆無にして構成した肥満解消具であって、肥満者ばかりではなく一般的に利用できることは、寝たままの状態で腹式呼吸を行い、息を止め頭部を少し持ち上げてＵ字形操作レバー本体を引き、息を静かに吐きながら腹部押圧をする行程を繰り返し行うことが手軽にできる肥満解消具である。【０００７】
【図面の簡単な説明】
【０００８】
【図１】  本考案に係る肥満解消具の第一実施例で、把持部の両端を屈折しＵ次形レバー本体に接続した状況を示す斜視図。
【図２】  図１に図示の肥満解消具の要部で、固定部の状況を示す斜視図。
【図３】  図１に図示の肥満解消具の正面図。
【図４】  本考案に係る肥満解消具の第二実施例で、操作レバー本体をＵ字形に曲折形態にした状況を示す斜視図。
【図５】  図２に図示の肥満解消具の固定部の状況を示す斜視図。
【図６】  図２に図示の肥満解消具の正面図。
【図７】  図１に図示の肥満解消具の使用状況を示す斜視図である。
【考案を実施するための形態】
【０００９】  本考案に係る肥満解消具の具体例を図１から図７を参照して説明する。
【実施例】
【００１０】以下、本考案の実施例について具体例を挙げて説明する。
本実施例では、図１に図示する如くＵ字形操作レバー本体１を曲折形態にして、その両端にスライド可能にした筒状ガイド２を挿着し、アーム３を介して中央部に腹部押圧ローラー４を取り付けた。【００１１】図２は、本考案に係る肥満解消具で、Ｕ字形操作レバー本体１に筒状ガイド２を挿着したアーム３の梃の作用で筒状ガイド２のスライド部が拗れて固定された状況を図示している。
図３は、図１に図示の肥満解消具の正面図である。【００１２】  図４は、操作レバー本体１をＵ字形に曲折形態にし、把持部１ａに波状形１ｃを設けた状況を図示している。
図５は、図２に図示の肥満解消具の固定部の状況を示す斜視図である。
図６は、図２に図示の肥満解消具の正面図で、図７は、図１に図示の肥満解消具の使用状況を示す斜視図である。
【符号の説明】
【００１３】１    Ｕ字形操作レバー本体
１ａ  把持部
１ｂ  臀支持部
１ｃ  波状形
２    筒状ガイド
３    アーム
４    腹部押圧ローラー
５    ローラー取付部
６    枕
ｃ    接続部
【図１】
0003170350.tif 000003
【図２】
0003170350.tif 000004
【図３】
0003170350.tif 000005
【図４】
0003170350.tif 000006
【図５】
0003170350.tif 000007
【図６】
0003170350.tif 000008
【図７】
0003170350.tif 000009
(57)【要約】      （修正有）【課題】磁気ネックレスであって、着用する人により強い磁力の効果を与えられる構造を有した磁気ネックレスを提供する。【解決手段】プラスチック又は非磁性体の金属３で覆うか接着剤で接着又はボルトナットで固着して同極同士をくっ付けた２個１対の磁石１，２を使い、これに両磁石のＳＮ極を貫く様に穴を明けて紐を通す。又はチューブ状の職布などに両磁石のＳＮ極を貫く中心軸の方向がチューブの長さの方向と一致するように１セット又は複数セットを入れて磁気ネックレスを形成する。【選択図】図４
0003170343.tif 000002
【実用新案登録請求の範囲】
【請求項１】
プラスチック又は非磁性体の金属で覆うか接着剤で接着又はボルトナットで固着して同極同士をくっ付けた２個１対の磁石を使い、これに両磁石のＳＮ極を貫く様に穴を明けて紐を通すか、又はチューブ状の職布などに両磁石のＳＮ極を貫く中心軸の方向ががチューブの長さの方向と一致するように１セット又は複数セットを入れて製作した磁気ネックレス。
【考案の詳細な説明】
【技術分野】
【０００１】この考案は磁気ネックレスの磁石の取り付け方に関する。
【背景技術】
【０００２】従来の磁気ネックレスに使用される磁石は、磁石に貫通する穴を明けて１個又は適当な間隔を開けて複数個をひもに通してネックス状にするか、細いチューブ状の職布又は樹脂の中へ磁石を入れてネックレス状に作成すのが一般的な制作方法であった。
【考案の概要】
【０００３】磁石の磁力線の方向はＮ極からＳ極へ中心軸に沿って楕円状に発せられているが、本考案は２個の１対の磁石の同極をくっ付けることによって磁力線の方向をその接触面でＳＮ極の中心軸と直角の方向に大きく曲げることによってネックレスを着用する人にとってより強い磁力の効果を与えることを目的としたものである。
【図面の簡単な説明】
【０００４】
【図１】同極同士をくっ付けた場合の磁力線の方向を示す側面図である。
【図２】単品の磁石の磁力線の方向を示す側面図である。
【図３】異極同士をくっ付けた場合の磁力線の方向を示す側面図である。
【図４】本考案の同極同士をくっ付けた２個１対の磁石の断面図である。
【図５】本考案の同極同士をくっ付けた２個１対の磁石の断面図である。
【図６】本考案の同極同士をくっ付けた２個１対の磁石の断面図である。
【考案の効果】
【０００５】本考案の効果を実証する為に直径１５ｍｍ長さ２０ｍｍ両端の磁力５０ｍＴの円柱状のフェライト磁石を用いて［図１］に示すようにＮ極同士（Ｓ極同士）を押し付けた状態のものと、［図２］に示すように１個のみの場合と［図３］に示すようにＳ極とＮ極を貼り付けた場合の３状態のもを中心軸と直角の磁石の表面で磁力を測定すると、［図１］の場合３４．７ｍＴ、［図２］の場合１８．１ｍＴ、［図４］の場合１８ｍＴであった。
つまり２個１対の磁石を同極同士をくっ付けると、Ｎ極Ｓ極を貫く中心軸と直角の方向の磁力が約２倍になる。
このように同極同士をくっ付けた磁石でネックレスを製作して人間が着用すれば、人間の方向（中心軸と直角の方向）に磁力が強くなる。
【考案品の実施形態】
［図４］、に示すような同極同士をくっ付けた２個１対の磁石に穴を開けて数珠状に１個又は複数個を紐に通すか、［図５］、［図６］に示すように２個１対の磁石をチューブ状の職布などに入れて  磁気ネックレスを作製する。
磁石のＳＮ極を貫く中心軸の方向が、紐状の磁気ネックレスの方向と一致する様に取り付ければ、着用する人間にとっては、磁石の中心軸と直角の方向から磁力を受けることになり、単品の磁石を用いた場合に比べて磁力が強力になる。
同極同士の磁石をくっ付けようとすれば互いに反発するので［図４］、［図５］に示すように、プラスチック又は非化性の金属、アルミニューム、ニッケルなどで覆って固定するか、接着剤で接着する又は［図６］に示すようにボルトナット等で固着する必要がある。
【図面の詳しい説明】
【０００６】［図１］本考案の同極同士をくっ付けた２個１対の磁石の磁力線の方向を示す、１，２は円柱の磁石、３は磁力測定の位置  Ｃは中心軸の方向
［図２］単品の場合の磁力線の方向を示す。１は円柱の磁石、３は磁力測定の位置  Ｃは中心軸の方向。
［図３］異極同士をくっ付けた２個１対の磁石の磁力線の方向を示す、１，２は円柱の磁石、３は磁力測定の位置  Ｃは中心軸の方向。
［図４］本考案の同極同士をくっ付けた２個１対で貫通穴の明いた磁石  １，２は円柱状又は角柱状の磁石、３はプラスチック又は非磁化性の金属、Ｎ，Ｓは磁石１，２の磁極の方向。
［図５］本考案の同極同士をくっ付けた２個１対の磁石、１，２は円柱状又は角柱状の磁石、３はプラスチック又は非磁化性の金属、Ｎ，Ｓは磁石１，２の磁極の方向。
［図６］本考案の同極同士をくっ付けた２個１対の磁石、１，２は円柱状又は角柱状の磁石、４はボルトナット、Ｎ，Ｓは磁石１，２の磁極の方向。。
【図１】
0003170343.tif 000003
【図２】
0003170343.tif 000004
【図３】
0003170343.tif 000005
【図４】
0003170343.tif 000006
【図５】
0003170343.tif 000007
【図６】
0003170343.tif 000008
(57)【要約】      （修正有）【課題】発電を行う可動板を人及び車の通る路面にもうけ、通行時に上からの圧力をエネルギーに変えて発電を行う発電装置を提供する。【解決手段】人及び車等の通行する面にへの字形の可動板１を設け、人及び車が可動板上に乗る事で可動板が上から下へ可動して連結しているラックギヤー３が下に下がり、小平ギヤーを回転させて同軸の大ギヤー５を回転させる。回転数を上げて発電機８のギヤーを回して発電するように可動板発電装置を構成する。【選択図】図２
0003170335.tif 000002
【実用新案登録請求の範囲】
【請求項１】
人及び車等の通行する面に設けた、板の上を通行時に上から下えの外圧で可動する可動板を設けて、エネルギーを発生させて発電する事を特徴する可動板発電装置。
【考案の詳細な説明】
【技術分野】
【０００１】本考案は発電に関するもので、人及び車の日常の行動をエネルギーに変えて、発電するものである。
【背景技術】
【０００２】原油の輸入依存度が非常に高く、エネルギーの節約を一環とする。
【考案の開示】
【考案が解決しようとする課題】
【０００３】本考案は人及び車の日常の行動を、エネルギーに変えて、発電することを課題とする。
【課題を解決するための手段】
【０００４】この課題を解決するため、請求項１の考案は多くの人が通行する駅改札口又は高速道路の面に可動板発電機を施設して、可動板の上から下えかかるエネルギーで、発電を行う事で解決する。
【考案の効果】
【０００５】発電の動力は可動板掛かる外圧なので省エネルギーを可能にする。
【考案を実施するための形態】
【０００６】図１は可動板発電装置の正面図で、可動板１に上から下に外圧がかかり、可動板が下にさがりラックギヤー３が下がって、大きなギヤー５を回転させ、小さなギヤー７が回転する同軸の大きなギヤー７も回り、発電機の小さなギヤー８回し発電する構造を持つ可動板発電装置である
図２は可動板１を持つ事を特徴する、可動板発電装置の側面図である。
図３は可動板１を持つ可動板発電装置を高速料金１０の出口に設置した図である。
図４は可動板１を持つ可動板発電装置を駅改札口キップ受け取り口付近１１に設置した図である。
【０００６】本考案に係わる可動板発電装置は図１で示すよう発電を行う可動板を、人及び車の通る路面にもうけて、通行時に人及び車から上からの圧力を回転エネルギーに変え発電機に送る装置である。
【産業上の利用可能性】
【００７】本考案に係わる可動板発電機は工業的に量産する事が可能である為、産業上の利用可能性を有する。
【図面の簡単な説明】
【０００８】
【図１】可動板発電装置の正面図
【図２】可動板発電装置の側面図
【図３】高速道路料金所
【図４】駅改札口
【符号の説明】
【０００９】１      可動板
２      可動板支点
３      ラックギャー
４      ストッパー
５      大きなギヤー
６      可動板発電装置のケース
７      大小同軸ギヤー
８      小ギヤーを持つ発電機
９      設置面
１０    改札口
１１    高速道路料金所
１２    バネ
【図１】
0003170335.tif 000003
【図２】
0003170335.tif 000004
【図３】
0003170335.tif 000005
【図４】
0003170335.tif 000006
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
人及び車等の通行する面にへの字形の可動板を設けて人及び車が可動板上に乗る事で可動板が上から下へ可動して連結しているラックギヤーが下に下がり小平ギヤーを回転させて同軸の大ギヤーを回転させて回転数を上げて発電機のギヤーを回して発電する事を特徴する可動板発電装置。
(57)【要約】      （修正有）【課題】組立式パラソル型物干し具のパラソル部分の構成部品を、使用環境や目的に応じた使用を可能にする竿かけパーツを提供する。【解決手段】パラソル型ハンガー３を支柱１を介して上下に複数段連結してなるスタンドタイプの組立式物干し具の前記支柱１から分離させたパラソル型ハンガーの円筒状元部分２に装着する竿かけパーツである。該竿かけパーツは、前記元部分２に対して取り付けられる円筒４と、その円筒４に嵌合させる外套部と、その外套部に回転自在に取り付けられた懸架部とからなり、その懸架部が物干し竿に吊ることができる形状とする。【選択図】図１
0003170336.tif 000002
【実用新案登録請求の範囲】
【請求項１】
パラソル型ハンガーを支柱を介して上下に複数段連結してなるスタンドタイプの組立式物干し具において、前記支柱から分離させたパラソル型ハンガーの連結部２に対して、竿に取り付けるハンガーフック２０を連結具４・６を介して着脱自在に連結してなる竿かけパーツ。
【考案の詳細な説明】
【技術分野】
【０００１】  本考案は、洗濯物を吊るすスタンドタイプの組立式パラソル型物干し具のパラソル部分を単品使用するために中央円筒部を修正し、各部品のみを使用可能にする部品製作に関するものである。
【背景技術】
【０００２】  従来のスタンドタイプの組立式パラソル型物干し具は、パラソル型ハンガーを複数組み立てて洗濯の室内干しを主目的にしているが、その形状や大きさから一度設置した場所から動かすことは容易ではない。そのため、天候の変化にあわせて各部品を個々で持ち運びができ、又住居環境に柔軟に対応して使用できるように工夫を施すことで類似商品との差別化及び需要者の購買意欲を喚起することが必要である。【０００３】  例えば、直接竿などに掛けて使用するパラソルハンガーとして提案されている。（特許文献１）
【先行技術文献】
【特許文献】
【０００４】
【特許文献１】特開２００３−２４６９７号公報
【考案の概要】
【考案が解決しようとする課題】
【０００５】  しかしながら、特許文献１記載のパラソルハンガーでは、室内で干すには別途ハンガーを吊るせる用具を用意しなければならず、又、状況によっては別のハンガーに洗濯物を掛け替える作業も増えることもあり不便である。【０００６】  本考案は、スタンドタイプの組立式パラソル型物干し具を使用するにあたり、天候の悪い日や外出時に室内で組立て洗濯物を干した時に、急に晴れるなどの天候の変化や帰宅時に室外へ持ち運ぼうとすると、嵩張って困難である。そこで、急な天候の変化や帰宅時など室内から室外に洗濯物を干したい時に、一部箇所を修正したパラソル部分だけを取りはずし、室外で干すための部品を考案した。
【課題を解決するための手段】
【０００７】  パラソル型ハンガーを支柱を介して上下に複数段連結してなるスタンドタイプの組立式物干し具において、前記支柱から分離させたパラソル型ハンガーの連結部２に対して、竿に取り付けるハンガーフック２０を連結具４・６を介して着脱自在に連結してなる竿かけパーツ。
【考案の効果】
【０００８】  作製した竿かけパーツの使用により、急な天候の変化や時間の有効活用など、組立てずパラソル部分を単品使用で室内外問わず柔軟に対応できる。
【図面の簡単な説明】
【０００９】
【図１】本願考案のパラソル部品の要部斜視図である。
【図２】本願考案の竿かけパーツの斜視図である。
【図３】従来の組立式パラソルハンガー部品の要部斜視図である。
【図４】従来の組立式パラソルハンガーのパラソル部分と本願考案の竿かけパーツとの連結部の断面図である。
【図５】パラソル部品に、本願考案の竿かけパーツを連結した斜視図である。
【図６】従来の組立式パラソルハンガーの全体斜視図である。
【考案を実施するための形態】
【００１０】  図６は、従来のスタンドタイプの組立式物干し具の概要を示し、図３は、その物干し具からパラソル型ハンガー３を分離させた要部斜視図である。これらの図において、パラソル型ハンガー３は支柱１を介して複数段上下に連結されている。各パラソル型ハンガー３は支柱１から抜くことができ、図３はその状態を示している。この図３において、まず、中央の円筒状元部分２に、図１に示すネジ溝５が施された円筒４を取り付ける。図２は、上記円筒４に嵌合させるハンガーフック２０の全体斜視図を示す。このハンガーフック２０の下部には前記円筒４と嵌合する外套部６が取り付けられている。前記外套部６を前記円筒４に嵌合させると、図５に示す状態となる。外套部６に対する縣架部７との連結部は、自由に回転することができる。この状態にすると、簡単に物干し竿に吊るすことができるから、従来のスタンドタイプの組立式物干し具全体を持ち運ぶ必要がなくなる。
【符号の説明】
【００１１】１・・・・・・支柱
２・・・・・・元部分
３・・・・・・パラソル型ハンガー
４・・・・・・円筒
５・・・・・・外側ネジ
６・・・・・・外套部
７・・・・・・縣架部
２０・・・・・ハンガーフック
３０・・・・・外套部と合うネジ溝を内側に施す。
Ａ・・・・・・連結部
Ｂ・・・・・・押入口
【図１】
0003170336.tif 000003
【図２】
0003170336.tif 000004
【図３】
0003170336.tif 000005
【図４】
0003170336.tif 000006
【図５】
0003170336.tif 000007
【図６】
0003170336.tif 000008
【手続補正書】
【提出日】平成23年6月28日(2011.6.28)
【手続補正１】
【補正対象書類名】実用新案登録請求の範囲
【補正対象項目名】全文
【補正方法】変更
【補正の内容】
【実用新案登録請求の範囲】
【請求項１】
パラソル型ハンガー（３）を支柱（１）を介して上下に複数段連結してなるスタンドタイプの組立式物干し具の前記支柱（１）から分離させたパラソル型ハンガーの円筒状元部分（２）に装着する竿かけパーツ（２０）であって、該竿かけパーツ（２０）が前記元部分（２）に対して取り付けられる円筒（４）と、その円筒（４）に嵌合させる外套部（６）と、その外套部（６）に回転自在に取り付けられた懸架部（７）とからなり、その懸架部（７）が物干し竿に吊ることができる形状となっている竿かけパーツ。
【手続補正３】
【補正対象書類名】明細書
【補正対象項目名】０００７
【補正方法】変更
【補正の内容】
【０００７】パラソル型ハンガーを支柱を介して上下に複数段連結してなるスタンドタイプの組立式物干し具の前記支柱から分離させたパラソル型ハンガーの円筒状元部分）に装着する竿かけパーツであって、該竿かけパーツが前記元部分に対して取り付けられる外套部と、その外套部に嵌合させる円筒と、その外套部に回転自在に取り付けられた懸架部とからなり、その懸架部が物干し竿に吊ることができる形状となっている竿かけパーツ。
(57)【要約】【課題】  傘を使用する際に、傘を出した後の傘袋を紛失しない為に、鞄やポケット等にしまうことなく、傘袋を傘本体の内側の骨組み及び巻きつける事の可能な場所に巻き付け、がっちりと固定し、紛失防止が図れるようにした、接合部品付き傘袋を提供する。【解決手段】  傘袋の紛失防止や鞄やポケットから探し出すという手間をはぶく為に、傘本体の内側の骨組みや、巻き付ける事の出来る物全てに巻き付け、すぐに取りはずせる様に傘袋表面又は裏面の上部２と３に接合させる為の部品を付けている。【選択図】図１
0003170334.tif 000002
【実用新案登録請求の範囲】
【請求項１】
傘袋の布・もしくはその他の素材の表面上部と下部に、スナップ及び接合させる為の部品を付け、雨や日差しをしのぐ為に開いた、傘本体の内側骨組みに傘袋を巻き付け、傘袋表面の上部と下部に付けたスナップ及び接合させる為の部品で接合することにより、傘本体内側の骨組みに傘袋は巻き付いた状態で固定され、傘袋紛失の防止になるところを特徴とする接合部品付き傘袋。
【請求項２】
前記接合部品は、マジックテープ・磁石・カギフォック等、接合させる為のあらゆる部品を傘袋表面の上部と下部に付け、傘本体内側の骨組みだけではなく、巻き付ける事の出来る全てのものに巻き付け固定させ、傘袋の紛失防止を特徴とする請求項１記載の接合させる為の部品付き傘袋。
【考案の詳細な説明】
【技術分野】
【０００１】  本考案は、傘を使用する際に、傘を取り出した後の傘袋を紛失しない為に、傘袋を傘本体の内側の骨組みもしくは、巻き付ける事の出来る全ての物に巻き付け接合させ固定し、傘袋の紛失防止を考えたところの接合部品付き傘袋に関する物である。
【背景技術】
【０００２】  傘を使用する際、傘を取り出した後の傘袋は紛失しない為に、鞄及びポケット等に入れていた。
【考案の概要】
【考案が解決しようとする課題】
【０００３】  傘を使用する際に、傘袋から傘を出したりしまったりと、そのつど傘袋の存在を保護する為にストレスを感じていた。しかし、傘を傘袋から出し、その傘袋をすぐ開いた傘本体内側にある骨組みにさっと巻き付け、傘袋表面の上部２と下部３に取り付けた接合簡単なスナップ他ではめるだけで固定され、紛失の心配やバッグやポケットの中を探すという手間もはぶける事により、前述の欠点を解決するものである。又、本考案を傘本体の内側の骨組みに固定しても、外からはほとんど見えないという利点もある。
【課題を解決するための手段】
【０００４】  本考案は、傘を使用する際にどこかにしまわなければならない傘袋を、傘本体内側の骨組に巻き付け輪の状態にして、傘袋表面の上部２と下部３に付けた接合簡単なスナップ及び接合する為の部品で接合させ固定することにより、傘袋をしまうというストレスや、紛失で悩んでいた問題を解決している。
【考案の効果】
【０００５】  上述の様に、本考案は、傘全般において傘袋を傘本体の内側の骨組み、又は巻き付ける事の出来る場所全てに巻き付け、傘袋表面の上部２と下部３の接合部品にて固定できるため、傘袋をどこかにしまうというストレスもなくなり、傘全般使用の際の傘袋紛失の心配もなくなる。実際に本考案の傘袋を作成し試してみたところ、簡単に傘袋を傘本体の内側の骨組みに巻き付け接合固定でき、傘袋をどこかにしまうストレスもなくなり、又紛失に対しても心配が無くなった。【０００６】  傘全般業界においては、本考案が全く新しい傘袋紛失防止案であるのにも関わらず、加工方法は至って簡単で、しかもローコストで完成する。現在の高齢化社会に最も必要とされていることの一つに、外出時の持ち物紛失防止対策がある。これから進む高齢化社会において、紛失しない安心な傘袋として必要とされる効果は大である。【０００７】  本考案は巻き付けることが出来る為、素材やデザインを変え、鞄の取手や手首に巻いて雨の日もオシャレ覚で傘袋を持ち歩けるようになる。【０００８】  長い傘袋も傘の柄にくるくると巻き付け接合固定できるため、様々な傘に対応出来、傘業界のこれからの産業の発展につながる。
本考案の傘袋表面の上と下をくっつけて、輪の状態にした図である。
【図面の簡単な説明】
【図１】本考案に、スナップを付けた図である。
【図２】本考案上部２と下部３を接合し、輪の状態にした図である
【図３】本考案を、傘本体の内側の骨組みに巻き付け輪の状態にして、接着固定した図である。
【図４】本考案の傘袋を、鞄の取手に巻き付け接合固定した図である。
【考案の実施するための形態】
【０００９】  傘袋の素材や色やキャラクターに合わせて、スナップ及び接合させる為の部品を選ぶ事によって、ファッション性も生まれる。布製には針と糸でスナップ及び鍵フォックを縫いつける。又特殊な素材やそれ以外の素材に対してはスナップ及び接着させる為の部品を強力接着万能ボンド等でつける。
【００１０】  傘袋の概観ファッション性を重視する場合においては、傘袋裏面にあたる布又はそれ以外の素材の表面の上部２、下部３に、磁石を強力接着万能ボンド等で付け、その上に布等で覆い縫い付ける。それにより磁石の凹凸も気にならず、傘袋から傘の出し入れもスムーズに出来る。本来の目的である、傘袋表面の上部と下部をくっつけ輪にして接合するという目的も達成し、磁石も外には見えない為、ファッション性も損なわれずに済む。
【符号の説明】
【００１１】  １  傘袋本体
２  スナップ凸部
３  スナップ凹部
【図１】
0003170334.tif 000003
【図２】
0003170334.tif 000004
【図３】
0003170334.tif 000005
【図４】
0003170334.tif 000006
【手続補正書】
【提出日】平成23年6月16日(2011.6.16)
【手続補正１】
【補正対象書類名】実用新案登録請求の範囲
【補正対象項目名】請求項２
【補正方法】変更
【補正の内容】
【請求項２】
前記接合部品は、面ファスナー・磁石・カギフォックといった接合可能な部品を傘袋表面の上部と下部に付け、傘本体内側の骨組みだけではなく、バッグの取手や腕に巻き付け固定させ、傘袋の紛失防止を特徴とする請求項１記載の接合させる為の部品付き傘袋。
(57)【要約】      （修正有）【課題】弁当作りの時間を短縮するため、惣菜を一食分ずつ保存し、取り出すことができる保存容器を提供する。【解決手段】くぼみ状の収納部分が複数設けられる。くぼみはアルミカップ、紙カップなどの規格に合わせてある。【選択図】図１
0003170332.tif 000002
【実用新案登録請求の範囲】
【請求項１】
弁当作りの負担を軽減するために、あらかじめ惣菜を盛り付けられる収納部分を数個設けてある、弁当用に特化した保存容器。
【請求項２】
収納部分のくぼみを、市販のアルミカップ、紙カップなどの大きさ（９号など）に合わせてある。
惣菜を、市販の紙カップごと保存もできるので、崩さずにそのまま取り出せ、朝弁当箱に詰めかえるだけで弁当が作れる。
【考案の詳細な説明】
【技術分野】
【０００１】
本考案は、弁当のおかずをあらかじめ整えておくことで、短時間で滋養のある弁当を作れるように意図した保存容器である。
【背景技術】
【０００２】
従来は、惣菜を紙カップ、アルミカップごと収納して型くずれしない、弁当用保存容器はなかった。
【考案の概要】
【考案が解決しようとする課題】
【０００３】
朝忙しいなかで弁当まで作るのは、誰もができることではない。
そのため、外食で済ませたり市販の弁当を買うことになるが、それらは原価を低く抑えられていたり、添加物、脂肪過多など栄養バランスの点で不安がある。毎回では出費もかさむ。
昨今の健康志向の高まりとともに、弁当を持参したい人も増えている。
短時間でも滋養のある弁当を作れるように工夫し、朝の負担感軽減をめざした。
【課題を解決するための手段】
【０００４】
惣菜作りは、材料を下ごしらえして、調味料、火などを使って調理するので時間がかかる。
あらかじめ作り置きした惣菜、あるいは好みのおかずを適時取り分け、紙カップ、アルミカップなどに体裁よく詰めておけば、朝弁当箱に並べるだけで持っていくことができる。
惣菜をあらかじめ市販の弁当用小分け容器に盛り付けて、それを崩さずに保存できる形状とした。さらに容器ごと冷凍もできることで、保存性を高めた。
【０００５】
惣菜を冷凍しておくと、1ヶ月程度保存できるが、ふつうはひと塊になって解凍に手間取ることになる。
本考案は１食分ずつ取り出せる形状とした。
さらに冷凍庫内で場所を取らないよう、数食分をまとめた容器とし、判別の点でも容易にした。
【０００６】
テイクアウトの惣菜、余ったおかずなども好みで盛り付けて、利用できる。
【考案の効果】
【０００７】
数食分作っておいたきんぴらごぼう、少し取り分けたおかずなどを、ご飯と詰め合わせるだけですむので、朝の弁当作りの時間が短縮される。
また、健康にも配慮した好みの食材をカスタマイズできる。
【図面の簡単な説明】
【０００８】
【図１】本考案の使用例を示した立体図である。
【図２】本体容器の一例の立体図である。
【考案を実施するための形態】
【０００９】
惣菜を小分けして崩さず保持するための収容部分を設けた。この部分は、市販の小分け用紙カップ、アルミカップなどの規格（９号、四角小など）と同じ大きさにすることでさらに使いやすくなる。
【００１０】
冷蔵庫内で傾いたり散逸しないように数食分を連結した。これによって庫内から取り出しやすくなる。
【００１１】
匂い移りを防ぐために、蓋を設けた。蓋は透明で中身が見えるようにした。
積み重ねも容易なことから、多量の惣菜も集約して保存できる。
【００１２】
朝のごく短時間で弁当を作ることを想定すると、冷蔵庫内での場所を特定できること、内容をすぐ確認できること、さらに品物が取り出しやすく、残りをしまいやすいことにも配慮した。
【実施例】
【００１３】
冷蔵庫内で使うことを想定した。本体と、蓋とで構成される。
本体は金属製または透明樹脂製で、市販の弁当惣菜用紙カップやアルミカップがちょうど入る形のくぼみが、数個設けてある。
蓋は、天面が平らな透明樹脂製で、積み重ねと内容の確認を容易にした。
【産業上の利用可能性】
【００１４】
材質を金属にすると、冷凍保存に適した急冷効果が得られる。
透明プラスチックで作った場合は、冷蔵室内での中身の確認が容易である。また、電子レンジによる加熱や解凍にも、そのまま利用できる。
【符号の説明】
【００１５】
１  本体
２  市販の惣菜用紙カップ、アルミカップなど
３  ふた
４  惣菜収納部分
【図１】
0003170332.tif 000003
【図２】
0003170332.tif 000004
【手続補正書】
【提出日】平成23年7月20日(2011.7.20)
【手続補正１】
【補正対象書類名】明細書
【補正対象項目名】０００９
【補正方法】変更
【補正の内容】
【０００９】
惣菜を小分けして崩さず保持するためのくぼみ状の収納部分を設けた。この部分は、市販の小分け用紙カップ、アルミカップなどの規格（９号、四角小など）と同じ大きさにすることでさらに使いやすくなる。
【手続補正２】
【補正対象書類名】実用新案登録請求の範囲
【補正対象項目名】全文
【補正方法】変更
【補正の内容】
【実用新案登録請求の範囲】
【請求項１】
弁当作りの負担を軽減するために、あらかじめ惣菜を盛り付けられるくぼみ状の収納部分を数個請けてある、弁当用惣菜の保存容器。
【請求項２】
前記くぼみを、市販の惣菜用アルミカップ、紙カップなどの規格（９号、四角小など）に合わせてあることを特徴とする請求項１記載の弁当用惣菜の保存容器。
(57)【要約】      （修正有）【課題】楽器本体に加工を加えることなく、取り付けることができ、楽器演奏時の音質、音響効果の向上を図ることができる音叉付きエンドピンを提供する。【解決手段】弦楽器におけるチェロ、コントラバス等の低音楽器の本体最下部に楽器を支える為に装着されている円柱状のシャフトであるエンドピンの先端の、楽器を床に突き立てる為の尖った端とは反対側延長上端、すなわち楽器内部に差し込まれる側の端に、音叉を縦方向に取り付け、音叉とエンドピンが一直線状の一体型とした。【選択図】図１
0003170333.tif 000002
【実用新案登録請求の範囲】
【請求項１】
弦楽器チェロ、コントラバスに取り付ける、音叉付きエンドピン
【請求項２】
共鳴音叉付き弦楽器用エンドピン
【考案の詳細な説明】
【技術分野】
【０００１】弦楽器用エンドピン
【背景技術】
【０００２】弦楽器の音響効果を向上させる部品
【考案の開示】
【考案が解決しようとする課題】
【０００３】従来は楽器を支持するのを主な目的とした部品であった。
演奏時の弦による振動を利用しエンドピンに取り付けた本考案の音叉を共鳴させる事により、楽器の振動を促し音質向上、音の立ち上がり速度の向上、倍音の増幅を図る事が出来る。
【課題を解決するための手段】
【０００４】楽器本体に加工を加える事が無く、本考案を取り付けることのみに依って楽器の音質向上を図る。また本考案は音叉を脱着式とし、音程の違う音叉を用意し個々の楽器の個体差に合わせて最良の音叉を選ぶ事が出来る。
【考案の効果】
【０００５】弦楽器演奏時の弦による振動を利用しエンドピンに取り付けた音叉を共鳴させる事により、楽器本体の振動を促し、音質向上と演奏上における弓の操作性向上を図る。
【考案を実施するための最良の形態】
【０００６】従来のエンドピンを抜きとり本考案のエンドピンを従来通り装着する。
【図面の簡単な説明】
【図１】弦楽器にエンドピンを取り付けた正面及び考案を取り外した拡大図
【図２】エンドピンに取り付ける音叉はエンドピンホルダーから自由に抜き差しするためにエンドピンの径よりも太くあってはならない。
【図１】
0003170333.tif 000003
【図２】
0003170333.tif 000004
【手続補正書】
【提出日】平成23年6月30日(2011.6.30)
【手続補正１】
【補正対象書類名】実用新案登録請求の範囲
【補正対象項目名】全文
【補正方法】変更
【補正の内容】
【実用新案登録請求の範囲】
【請求項１】
エンドピンは、弦楽器におけるチェロ、コントラバス等の低音楽器の本体最下部に楽器を支える為に装着されている円柱状のシャフトである。そのエンドピン先端の、楽器を床に突き立てる為の尖った端とは反対側延長上端、すなわち楽器内部に差し込まれる側の端に、音叉を縦方向に取り付け、音叉とエンドピンが一直線状の一体型とした弦楽器用音叉付きエンドピン。